(57)【特許請求の範囲】
【請求項１】
撮像して得られた主画像データ及び1つ以上の副画像データが格納され、前記主画像データに関する時刻の情報が設定された主識別子が前記主画像データの前に設けられ、かつ前記１つ以上の副画像データそれぞれの前に、各副画像データに関する時刻の情報が設定された副識別子が設けられた画像ファイルを再生する画像再生装置において、
現在時刻の情報を計時する計時手段と、
複数の前記画像ファイルの中から１つの画像ファイルを選択する選択手段と、
該選択手段により選択された画像ファイルの前記主識別子および前記副識別子それぞれに設定された時刻の情報を解析する解析手段と、
再生の際に、前記現在時刻の情報に最も近い前記解析された時刻の情報を有する識別子の後の画像データを再生する再生手段と、
画像データが再生された際は、当該再生された画像データの識別子に再生された時刻の情報を再生履歴情報として追記する履歴追記手段とを備え、
前記再生手段が、前記解析手段により解析された結果、前記主識別子および前記副識別子それぞれに設定された時刻の情報を取得することができなかった際、前記履歴追記手段により追記された再生履歴情報から前記最も近い時刻の情報を有する前記主識別子または前記副識別子の後の画像データを再生するものであることを特徴とする画像再生装置。
【請求項２】
撮像して得られた主画像データ及び1つ以上の副画像データが格納され、前記主画像データに関する位置の情報が設定された主識別子が前記主画像データの前に設けられ、かつ前記１つ以上の副画像データそれぞれの前に、各副画像データに関する位置の情報が設定された副識別子が設けられた画像ファイルを再生する画像再生装置において、
現在位置の情報を取得する位置情報取得手段と、
複数の前記画像ファイルの中から１つの画像ファイルを選択する選択手段と、
該選択手段により選択された画像ファイルの前記主識別子および前記副識別子それぞれに設定された位置の情報を解析する解析手段と、
再生の際に、前記現在位置の情報に最も近い前記解析された位置の情報を有する前記主識別子または前記副識別子の後の画像データを再生する再生手段と、
画像データが再生された際は、当該再生された画像データの識別子に再生された現在位置の情報を再生履歴情報として追記する履歴追記手段を更に備え、
前記再生手段が、前記解析手段により解析された結果、前記主識別子および前記副識別子それぞれに設定された位置の情報を取得することができなかった際、前記履歴追記手段により追記された再生履歴情報から前記最も近い現在位置の情報を有する前記主識別子または前記副識別子の後の画像データを再生するものであることを特徴とする画像再生装置。
【請求項３】
前記画像データは、撮像された時刻表の画像を構成するものであることを特徴とする請求項１または２記載の画像再生装置。
【請求項４】
撮像して得られた主画像データ及び1つ以上の副画像データが格納され、前記主画像データに関する時刻の情報が設定された主識別子が前記主画像データの前に設けられ、かつ前記１つ以上の副画像データそれぞれの前に、各副画像データに関する時刻の情報が設定された副識別子が設けられた画像ファイルを再生する画像再生方法において、
現在時刻の情報を計時し、
複数の前記画像ファイルの中から１つの画像ファイルを選択し、
該選択された画像ファイルの前記主識別子および前記副識別子それぞれに設定された時刻の情報を解析し、
再生の際に、前記現在時刻の情報に最も近い前記解析された時刻の情報を有する前記主識別子または前記副識別子の後の画像データを再生すると共に、
画像データが再生された際は、当該再生された画像データの識別子に再生された時刻の情報を再生履歴情報として追記し、
前記再生の際に、前記解析された結果、前記主識別子および前記副識別子それぞれに設定された時刻の情報を取得することができなかった際、前記追記された再生履歴情報から前記最も近い時刻の情報を有する前記主識別子または前記副識別子の後の画像データを再生することを特徴とする画像再生方法。
【請求項５】
撮像して得られた主画像データ及び1つ以上の副画像データが格納され、前記主画像データに関する位置の情報が設定された主識別子が前記主画像データの前に設けられ、かつ前記１つ以上の副画像データそれぞれの前に、各副画像データに関する位置の情報が設定された副識別子が設けられた画像ファイルを再生する画像再生方法において、
現在位置の情報を取得し、
複数の前記画像ファイルの中から１つの画像ファイルを選択し、
該選択された画像ファイルの前記主識別子および前記副識別子それぞれに設定された位置の情報を解析し、
再生の際に、前記現在位置の情報に最も近い前記解析された位置の情報を有する前記主識別子または前記副識別子の後の画像データを再生すると共に、
画像データが再生された際は、当該再生された画像データの識別子に再生された現在位置の情報を再生履歴情報として追記し、
前記再生の際に、前記解析された結果、前記主識別子および前記副識別子それぞれに設定された位置の情報を取得することができなかった際、前記追記された再生履歴情報から前記最も近い現在位置の情報を有する前記主識別子または前記副識別子の後の画像データを再生することを特徴とする画像再生方法。
【請求項６】
撮像して得られた主画像データ及び1つ以上の副画像データが格納され、前記主画像データに関する時刻の情報が設定された主識別子が前記主画像データの前に設けられ、かつ前記１つ以上の副画像データそれぞれの前に、各副画像データに関する時刻の情報が設定された副識別子が設けられた画像ファイルを再生することをコンピュータに実行させるためのプログラムにおいて、
現在時刻の情報を計時する機能と、
複数の前記画像ファイルの中から１つの画像ファイルを選択する機能と、
該選択された画像ファイルの前記主識別子および前記副識別子それぞれに設定された時刻の情報を解析する機能と、
再生の際に、前記現在時刻の情報に最も近い前記解析された時刻の情報を有する前記主識別子または前記副識別子の後の画像データを再生する機能と、
画像データが再生された際は、当該再生された画像データの識別子に再生された時刻の情報を再生履歴情報として追記する機能と、
前記再生の際に、前記解析された結果、前記主識別子および前記副識別子それぞれに設定された時刻の情報を取得することができなかった際、前記追記された再生履歴情報から前記最も近い時刻の情報を有する前記主識別子または前記副識別子の後の画像データを再生する機能とを実行させるものであることを特徴とするプログラム。
【請求項７】
撮像して得られた主画像データ及び1つ以上の副画像データが格納され、前記主画像データに関する位置の情報が設定された主識別子が前記主画像データの前に設けられ、かつ前記１つ以上の副画像データそれぞれの前に、各副画像データに関する位置の情報が設定された副識別子が設けられた画像ファイルを再生することをコンピュータに実行させるためのプログラムにおいて、
現在位置の情報を取得する機能と、
複数の前記画像ファイルの中から１つの画像ファイルを選択する機能と、
該選択された画像ファイルの前記主識別子および前記副識別子それぞれに設定された位置の情報を解析する機能と、
再生の際に、前記現在位置の情報に最も近い前記解析された位置の情報を有する前記主識別子または前記副識別子の後の画像データを再生する機能と、
画像データが再生された際は、当該再生された画像データの識別子に再生された現在位置の情報を再生履歴情報として追記する機能と、
前記再生の際に、前記解析された結果、前記主識別子および前記副識別子それぞれに設定された位置の情報を取得することができなかった際、前記追記された再生履歴情報から前記最も近い現在位置の情報を有する前記主識別子または前記副識別子の後の画像データを再生する機能とを実行させるものであることを特徴とするプログラム。
【発明の詳細な説明】
【技術分野】
【０００１】
本発明は撮像された複数の画像データを連結して構成される１つの画像ファイルを取得し、画像データ毎の識別子に情報を設定する撮像装置、画像再生装置、画像生成装置、撮像方法、画像再生方法、画像生成方法及びプログラムに関するものである。
【背景技術】
【０００２】
近年、撮像された複数の画像データを連結して構成される１つの画像ファイルを利用した画像データ記録方法等が提案されている（特許文献１，２参照）一方、現在の時刻を計時し、計時された時刻を利用して、時刻表やカレンダー等の時刻に関する画像データを検索する画像検索方法等が提案されている（特許文献３，４参照）。
【特許文献１】特開２００６−１３７５９号公報
【特許文献２】特開平１１−２６６４２０号公報
【特許文献３】特開２００６−１０８７９４号公報
【特許文献４】特開２００５−１３０２７５号公報
【発明の開示】
【発明が解決しようとする課題】
【０００３】
しかしながら、特許文献１、２に記載された技術では、撮像された複数の画像データを連結して構成される１つの画像ファイルをどのように編集するか提案されていないため、上記画像データを読み込んだ装置が、複数の画像データにより構成されている画像ファイルであることを知らず、編集作業により画像ファイルを破損する可能性が生じる。また、特許文献３、４に記載された技術では、目的の時刻に関する画像データを表示するための操作が煩雑であるという問題がある。
【０００４】
本発明は上記事情に鑑みなされたものであり、簡単な操作で、撮像された複数の画像データを連結して構成される１つの画像ファイルの編集を可能とする撮像装置、画像再生装置、画像生成装置、撮像方法、画像再生方法、画像生成方法及びプログラムを提供することを目的とするものである。
【課題を解決するための手段】
【０００５】
本発明による撮像装置は、撮像して得られた主画像データ及び1つ以上の副画像データが格納され、主画像データに関する主識別子が主画像データの前に設けられ、かつ１つ以上の副画像データそれぞれの前に、各副画像データに関する副識別子が設けられた画像ファイルを生成する撮像装置において、主画像データおよび前記１つ以上の副画像データを取得する撮像手段と、撮像された際の時刻を計時する計時手段と、時刻を表示する表示手段と、再生時に使用する時刻の情報を入力をする入力手段と、入力手段により入力がなされた場合はその入力された時刻の情報を、入力手段により入力がなされない場合に計時手段により計時された時刻の情報を、設定する識別子設定手段と、識別子設定手段により設定された主識別子または副識別子及び撮像手段により取得された主画像データ及び副画像データに基づいて、画像ファイルを生成する生成手段とを備えたことを特徴とするものである。
【０００６】
「主画像データ」とは、撮像された複数の画像データを連結して構成される画像ファイルにおける主要な画像であり、結果として主画像データとして選択されるものを含む。また、主画像データが、撮像された時刻表の画像を構成するものであってもよい。
【０００７】
「副画像データ」とは、撮像された複数の画像データを連結して構成される画像ファイルにおける主画像データを除く画像であり、結果として副画像データとして選択されるものを含む。また、副画像データは、撮像された時刻表の画像を構成するものであってもよい。
【０００８】
本発明による画像再生装置は、撮像して得られた主画像データ及び1つ以上の副画像データが格納され、主画像データに関する時刻の情報が設定された主識別子が主画像データの前に設けられ、かつ１つ以上の副画像データそれぞれの前に、各副画像データに関する時刻の情報が設定された副識別子が設けられた画像ファイルを再生する画像再生装置において、現在時刻の情報を計時する計時手段と、複数の画像ファイルの中から１つの画像ファイルを選択する選択手段と、選択手段により選択された画像ファイルの主識別子および副識別子それぞれに設定された時刻の情報を解析する解析手段と、再生の際に、現在時刻の情報に最も近い解析された時刻の情報を有する主識別子または副識別子の後の画像データを再生する再生手段と、を備えたことを特徴とするものである。
【０００９】
本発明による画像再生装置は、撮像して得られた主画像データ及び1つ以上の副画像データが格納され、主画像データに関する位置の情報が設定された主識別子が主画像データの前に設けられ、かつ１つ以上の副画像データそれぞれの前に、各副画像データに関する位置の情報が設定された副識別子が設けられた画像ファイルを再生する画像再生装置において、現在位置の情報を取得する位置情報取得手段と、複数の前記画像ファイルの中から１つの画像ファイルを選択する選択手段と、選択手段により選択された画像ファイルの主識別子および副識別子それぞれに設定された位置の情報を解析する解析手段と、再生の際に、前記現在位置の情報に最も近い解析された位置の情報を有する主識別子または副識別子の後の画像データを再生する再生手段と、を備えたことを特徴とするものであってもよい。
【００１０】
また、本発明の画像再生装置において、画像データが再生された際は、再生された画像データの主識別子または副識別子に再生された時刻の情報または現在位置の情報を再生履歴情報として追記する履歴追記手段を更に備え、再生手段が、解析手段により解析された結果、主識別子および副識別子それぞれに設定された時刻の情報または位置の情報を取得することができなかった際、履歴記憶手段に追記された再生履歴情報から最も近い時刻の情報または現在位置の情報を有する主識別子または副識別子の後の画像データを再生するものであってもよい。
【００１１】
本発明による画像生成装置は、撮像して得られた主画像データ及び1つ以上の副画像データが格納され、主画像データに関する主識別子が主画像データの前に設けられ、かつ１つ以上の副画像データそれぞれの前に、各副画像データに関する副識別子が設けられた画像ファイルを生成する画像作成装置において、主画像データおよび前記１つ以上の副画像データを取得する取得手段と、取得された主画像データおよび１つ以上の副画像データの前に設けられた主識別子または副識別子に、時刻の情報または位置の情報を入力する入力手段と、入力手段により情報が入力された主識別子または副識別子及び撮像手段により取得された主画像データ及び副画像データに基づいて、画像ファイルを生成する生成手段とを備えたことを特徴とするものである。
【００１２】
ここで、本発明の撮像装置は、単一の装置のみならず、例えば、撮像装置（例えば、デジタルカメラ等）および表示装置（例えば、テレビ等）を有線または無線により接続した場合のように、複数の装置を接続することにより一体に構成される装置をも含むものである。
【００１３】
本発明による撮像方法は、撮像して得られた主画像データ及び1つ以上の副画像データが格納され、前記主画像データに関する主識別子が前記主画像データの前に設けられ、かつ前記１つ以上の副画像データそれぞれの前に、各副画像データに関する副識別子が設けられた画像ファイルを生成する撮像方法において、主画像データおよび１つ以上の副画像データを取得し、撮像された際の時刻を計時し、時刻を表示し、再生時に使用する時刻の情報の入力を受け付け、
入力がなされた場合はその入力された時刻の情報を、入力がなされない場合は計時された時刻の情報を、主識別子または副識別子に設定し、設定された主識別子または副識別子及び取得された主画像データ及び副画像データに基づいて、画像ファイルを生成することを特徴とする。
【００１４】
本発明による画像生成方法は、撮像して得られた主画像データ及び1つ以上の副画像データが格納され、主画像データに関する時刻の情報が設定された主識別子が主画像データの前に設けられ、かつ１つ以上の副画像データそれぞれの前に、各副画像データに関する時刻の情報が設定された副識別子が設けられた画像ファイルを再生する画像再生方法において、現在時刻の情報を計時し、複数の画像ファイルの中から１つの画像ファイルを選択し、選択された画像ファイルの主識別子および副識別子それぞれに設定された時刻の情報を解析し、再生の際に、現在時刻の情報に最も近い解析された時刻の情報を有する主識別子または副識別子の後の画像データを再生することを特徴とする。
【００１５】
本発明における画像再生方法は、撮像して得られた主画像データ及び1つ以上の副画像データが格納され、前記主画像データに関する位置の情報が設定された主識別子が前記主画像データの前に設けられ、かつ前記１つ以上の副画像データそれぞれの前に、各副画像データに関する位置の情報が設定された副識別子が設けられた画像ファイルを再生する画像再生方法において、現在位置の情報を取得し、複数の前記画像ファイルの中から１つの画像ファイルを選択し、選択された画像ファイルの主識別子および副識別子それぞれに設定された位置の情報を解析し、再生の際に、現在位置の情報に最も近い解析された位置の情報を有する主識別子または副識別子の後の画像データを再生することを特徴とするものであってもよい。
【００１６】
本発明における画像生成方法は、撮像して得られた主画像データ及び1つ以上の副画像データが格納され、主画像データに関する主識別子が主画像データの前に設けられ、かつ１つ以上の副画像データそれぞれの前に、各副画像データに関する副識別子が設けられた画像ファイルを生成する画像作成方法において、主画像データおよび１つ以上の副画像データを取得し、取得された主画像データおよび１つ以上の副画像データの前に設けられた主識別子または副識別子に、時刻の情報または位置の情報を入力し、入力された情報が入力された主識別子または副識別子及び取得された主画像データ及び副画像データに基づいて、前記画像ファイルを生成することを特徴とする。
【００１７】
本発明におけるプログラムは、撮像して得られた主画像データ及び1つ以上の副画像データが格納され、前記主画像データに関する主識別子が前記主画像データの前に設けられ、かつ前記１つ以上の副画像データそれぞれの前に、各副画像データに関する副識別子が設けられた画像ファイルを生成することをコンピュータに実行させるためのプログラムにおいて、主画像データおよび前記１つ以上の副画像データを取得する機能と、撮像された際の時刻を計時する機能と、時刻を表示する機能と、再生時に使用する時刻の情報の入力を受け付ける機能と、入力がなされた場合はその入力された時刻の情報を、入力がなされない場合は計時された時刻の情報を、主識別子または副識別子に設定し、設定された主識別子または副識別子及び取得された主画像データ及び副画像データに基づいて、前記画像ファイルを生成する機能を実行させるものであることを特徴とする。
【００１８】
本発明におけるプログラムは、撮像して得られた主画像データ及び1つ以上の副画像データが格納され、主画像データに関する時刻の情報が設定された主識別子が主画像データの前に設けられ、かつ前記１つ以上の副画像データそれぞれの前に、各副画像データに関する時刻の情報が設定された副識別子が設けられた画像ファイルを再生することをコンピュータに実行させるためのプログラムにおいて、現在時刻の情報を計時する機能と、複数の前記画像ファイルの中から１つの画像ファイルを選択する機能と、選択された画像ファイルの主識別子および副識別子それぞれに設定された時刻の情報を解析する機能と、再生の際に、現在時刻の情報に最も近い解析された時刻の情報を有する主識別子または副識別子の後の画像データを再生する機能を実行させるものであることを特徴としてもよい。
【００１９】
本発明におけるプログラムは、撮像して得られた主画像データ及び1つ以上の副画像データが格納され、主画像データに関する位置の情報が設定された主識別子が主画像データの前に設けられ、かつ１つ以上の副画像データそれぞれの前に、各副画像データに関する位置の情報が設定された副識別子が設けられた画像ファイルを再生することをコンピュータに実行させるためのプログラムにおいて、現在位置の情報を取得する機能と、複数の前記画像ファイルの中から１つの画像ファイルを選択する機能と、選択された画像ファイルの主識別子および副識別子それぞれに設定された位置の情報を解析する機能と、再生の際に、現在位置の情報に最も近い解析された位置の情報を有する識別子の後の画像データを再生する機能を実行させるものであることを特徴としてもよい。
【００２０】
本発明におけるプログラムは、撮像して得られた主画像データ及び1つ以上の副画像データが格納され、主画像データに関する主識別子が主画像データの前に設けられ、かつ前記１つ以上の副画像データそれぞれの前に、各副画像データに関する副識別子が設けられた画像ファイルを生成することをコンピュータに実行させるためのプログラムにおいて、
主画像データおよび１つ以上の副画像データを取得する機能と、取得された主画像データおよび１つ以上の副画像データの前に設けられた主識別子または副識別子に、時刻の情報または位置の情報を入力する機能と、入力された情報が入力された主識別子または副識別子及び取得された主画像データ及び副画像データに基づいて、画像ファイルを生成する機能を実行させるものであることを特徴としてもよい。
【発明の効果】
【００２１】
本発明の撮像装置および方法及びプログラムによれば、時刻の修正入力を可能とする入力手段と、入力手段により修正入力がなされた場合はその修正入力された時刻の情報を、または入力手段により修正入力がされた場合に計時手段により計時された時刻の情報を、設定する識別子設定手段と、識別子設定手段により設定された主識別子または副識別子及び撮像手段により取得された主画像データ及び副画像データに基づいて、画像ファイルを生成するものであるから、簡単な操作で撮像された複数の画像データを連結して構成される１つの画像ファイルの編集作業が可能とすることができる。
【００２２】
また、本発明の画像再生装置および方法及びプログラムによれば、現在時刻の情報を計時する計時手段と、複数の画像ファイルの中から１つの画像ファイルを選択する選択手段と、選択手段により選択された画像ファイルの主識別子および副識別子それぞれに設定された時刻の情報を解析する解析手段と、再生の際に、現在時刻の情報に最も近い解析された時刻の情報を有する主識別子または副識別子の後の画像データを再生するものであるから、簡単な操作で撮像された複数の画像データを連結して構成される１つの画像ファイルの再生を可能とすることができる。
【００２３】
また、本発明の画像再生装置および方法及びプログラムによれば、現在位置の情報を取得する位置情報取得手段と、複数画像ファイルの中から１つの画像ファイルを選択する選択手段と、選択手段により選択された画像ファイルの主識別子および副識別子それぞれに設定された位置の情報を解析する解析手段と、再生の際に、現在位置の情報に最も近い解析された位置の情報を有する主識別子または副識別子の後の画像データを再生するものであるから、簡単な操作で撮像された複数の画像データを連結して構成される１つの画像ファイルの再生を可能とすることができる。
【００２４】
また、本発明の画像生成装置および方法及びプログラムによれば、取得された主画像データおよび１つ以上の副画像データの前に設けられた主識別子または副識別子に、時刻の情報または位置の情報を入力する入力手段と、入力手段により情報が入力された主識別子または副識別子及び撮像手段により取得された主画像データ及び副画像データに基づいて、画像ファイルを生成するものであるから、簡単な操作で撮像された複数の画像データを連結して構成される１つの画像ファイルの生成を可能とすることができる。
【発明を実施するための最良の形態】
【００２５】
以下、本発明の撮像装置の実施形態を、図面を参照して詳細に説明する。
【００２６】
図１及び図２は、デジタルカメラの一例を示すものであり、それぞれ背面側及び前面側から見た外観図である。デジタルカメラ１の本体２の背面には、図１に示す如く、撮像者による操作のためのインターフェースとして、動作モードダイヤル１１、メニュー／ＯＫボタン１７、ズームボタン１８、十字ボタン１６、表示／戻るボタン２０、フォトモードボタン２２が設けられ、更に撮像のためのファインダ１５、撮像並びに再生のためのモニタ１４及びレリーズボタン７が設けられている。
【００２７】
動作モードダイヤル１１は、通常撮像モード、複数の画像データを連結して構成される１つの画像ファイル（以下、ＭＰファイルという）を生成するＭＰファイル撮像モード、ＭＰファイル撮像モードにおける時刻表モード等の各撮像モード、ＭＰファイル作成モード（再生モード時）を切り替えるためのスライドスイッチである。
【００２８】
メニュー／ＯＫボタン１７は、押下される毎に撮像モードの選択後に画像表示するか否かを設定する画像表示モード、識別子の情報の設定、記録画素数や撮像素子感度等の設定を行うための各種メニューをモニタ１４に表示させたり、モニタ１４に表示されたメニューに基づく選択・設定を決定したりするためのボタンである。
【００２９】
ズームボタン１８は、左右いずれかのボタンを押すことによって、撮像時には望遠／広角の調整が行われる。
【００３０】
十字ボタン１６は、各種設定時にモニタ１４に表示されるメニュー画面中のカーソルを上下左右に移動して表示させるためのボタンである。
【００３１】
Ｂａｃｋ（戻る）ボタン２０は、押下されることによって各種設定操作を中止し、モニタ１４に１つ前の画面を表示するためのボタンである。また、再生時には、モニタ１４の表示方法を変更することが可能となる。
【００３２】
ファインダ１５は、ユーザが被写体を撮像する際に構図やピントを合わせるために覗くためのものである。ファインダ１５から見える被写体像は、本体２の前面にあるファインダ窓を介して映し出される。
【００３３】
レリーズボタン７は、半押し及び全押しの二段階操作が可能な操作ボタンであり、レリーズボタン７を押下すると、後述の操作系制御部７４を介して半押し信号又は全押し信号をＣＰＵ７５へ出力する。
【００３４】
以上説明した各ボタンやレバー等の操作によって設定された内容は、モニタ１４中の表示や、ファインダ１５内のランプ等によって確認可能となっている。また、モニタ１４には、撮像の際に被写体確認用のスルー画像データが表示される。これにより、モニタ１４は電子ビューファインダとして機能する他、撮像後の静止画や動画の再生表示、各種設定メニューの表示を行う。
【００３５】
更に、本体２の前面には、図２に示す如く、撮像レンズ３、ズームリング４、電源レバー８、フラッシュライト１３及びＡＦ補助光ランプ／セルフタイマーランプ５が設けられ、側面にはメディアスロット２２が設けられている。
【００３６】
撮像レンズ３は、被写体像を所定の結像面上（本体２内部にあるＣＣＤ又はＣＭＯＳ等）に結像させるためのものであり、フォーカスレンズやズームレンズ等によって構成される。
【００３７】
電源レバー８は、デジタルカメラ１の電源のオン／オフを切り替えるためのレバーであり、同時に静止画撮像モード、動画撮像モード、再生モード、の各動作モードを切り替えるためのレバーである。
【００３８】
フラッシュライト１３は、レリーズボタン７が押下され、本体２の内部にあるシャッタが開いている間に、撮像に必要な光を被写体に対して瞬間的に発光するためのものである。フラッシュライト１３はキセノン管により構成されているが、キセノン管以外のフラッシュライトであってもよい。
【００３９】
ＡＦ補助光ランプ／セルフタイマーランプ５は、セルフタイマーによって撮像する際に、シャッタの開閉タイミングすなわち露光の開始及び終了を被写体に知らせるためのものであり、またＡＦ用に発光する補助ランプも兼ねている。
【００４０】
メディアスロット２２は、メモリカード等の外部記録メディア７０が充填されるための充填口であり、外部記録メディアが充填されると、データの読み取り／書き込みが行われる。
【００４１】
図３にデジタルカメラ１の機能構成を示すブロック図を示す。図３に示す如く、デジタルカメラ１の操作系として、前述の動作モードダイヤル１１、メニュー／ＯＫボタン１７、ズームボタン１８、十字ボタン１６、表示／戻るボタン２０、レリーズボタン７、電源レバー８と、フォトモードボタン２２、これらのスイッチ、ボタン、レバー類の操作内容をＣＰＵ７５に伝えるためのインターフェースである操作系制御部７４が設けられている。
【００４２】
また、撮像レンズ３を構成するものとして、フォーカスレンズ３ａ及びズームレンズ３ｂが設けられている。これらの各レンズは、モータとモータドライバからなるフォーカスレンズ駆動部５１、ズームレンズ駆動部５２によってステップ駆動され、光軸方向に移動可能な構成となっている。
【００４３】
フォーカスレンズ駆動部５１は、ＡＦ処理部６２から出力されるフォーカス駆動量データに基づいてフォーカスレンズ３ａをステップ駆動する。ズームレンズ駆動部５２は、ズームボタン１８の操作量データに基づいてズームレンズ３ｂのステップ駆動を制御する。
【００４４】
絞り５４は、モータとモータドライバとからなる絞り駆動部５５によって駆動される。この絞り駆動部５５は、ＡＥ処理部６３から出力される絞り値データに基づいて絞り５４の絞り径の調整を行う。
【００４５】
シャッタ５６は、メカニカルシャッタであり、モータとモータドライバとからなるシャッタ駆動部５７によって駆動される。シャッタ駆動部５７は、レリーズボタン７の押下信号と、ＡＥ処理部６３から出力されるシャッタ速度データとに応じてシャッタ５６の開閉の制御を行う。
【００４６】
上記光学系の後方には、撮像素子であるＣＣＤ（撮像手段）５８を有している。ＣＣＤ５８は、多数の受光素子がマトリクス状に配置されてなる光電面を有しており、光学系を通過した被写体像が光電面に結像され、光電変換される。光電面の前方には、各画素に光を集光させるためのマイクロレンズアレイ（不図示）と、ＲＧＢ各色のフィルタが規則的に配列されてなるカラーフィルタアレイ（不図示）とが配置されている。
【００４７】
ＣＣＤ５８は、ＣＣＤ制御部５９から供給される垂直転送クロック信号及び水平転送クロック信号に同期して、画素毎に蓄積された電荷を１ラインずつ読み出して画像信号として出力する。各画素における電荷の蓄積時間（即ち露出時間）は、ＣＣＤ制御部５９から与えられる電子シャッタ駆動信号によって決定される。
【００４８】
ＣＣＤ５８が出力する画像像信号は、アナログ信号処理部６０に入力される。このアナログ信号処理部６０は、画像信号のノイズ除去を行う相関２重サンプリング回路（ＣＤＳ）と、画像信号のゲイン調整を行うオートゲインコントローラ（ＡＧＣ）と、画像信号をデジタル画像データに変換するＡ／Ｄコンバータ（ＡＤＣ）とからなる。そしてデジタル画像データは、画素毎にＲＧＢの濃度値を持つＣＣＤ−ＲＡＷデータである。
【００４９】
タイミングジェネレータ７２は、タイミング信号を発生させるものであり、このタイミング信号がシャッタ駆動部５７、ＣＣＤ制御部５９、アナログ信号処理部６０に入力されて、レリーズボタン７の操作と、シャッタ５６の開閉、ＣＣＤ５８の電荷取り込み、アナログ信号処理６０の処理の同期が取られる。
【００５０】
フラッシュ制御部７３は、フラッシュライト１３の発光動作を制御するものである。
【００５１】
画像入力コントローラ６１は、上記アナログ信号処理部６０から入力されたＣＣＤ−ＲＡＷデータをフレームメモリ６８に書き込む。このフレームメモリ６８は、画像データまたはスルー画像データに対して後述の各種デジタル画像処理を行う際に使用する作業用メモリであり、例えば、一定周期のバスクロック信号に同期してデータ転送を行うＳＤＲＡＭ（Synchronous Dynamic Random Access Memory）から構成されている。
【００５２】
表示制御部７１は、フレームメモリ６８に格納された画像データをスルー画像データとしてモニタ１４に表示させるためのものであり、例えば、輝度（Ｙ）信号と色（Ｃ）信号を一緒にして１つの信号としたコンポジット信号に変換して、モニタ１４に出力する。スルー画像データは、撮像モードが選択されている間、所定時間間隔で取得されてモニタ１４に表示される。また、表示制御部７１は、外部記録メディアに記憶され、メディア制御部６９によって読み出された画像ファイルに含まれる画像データに基づいた画像をモニタ１４に表示させる。
【００５３】
ＡＦ処理部６２は、焦点位置を検出し、フォーカスレンズ駆動量データを出力する。本実施の形態においては、焦点位置の検出方法としては、例えば、ピントが合った状態では画像の合焦評価値（コントラスト値）が高くなるという特徴を利用して、合焦位置を検出するパッシブ方式が適用される。なお図示しない測距センサによる測距結果を使用するアクティブ方式を適用してもよい。
【００５４】
ＡＥ処理部６３は、被写体輝度を測定し、測定した被写体輝度に基づいて絞り値やシャッタ速度等を決定し、絞り値データやシャッタ速度データを出力する。
【００５５】
画像処理部６７は、画像データに対してガンマ補正、シャープネス補正、コントラスト補正、色補正等の画質補正処理を施すと共に、ＣＣＤ−ＲＡＷデータを輝度信号であるＹデータと、青色色差信号であるＣｂデータ及び赤色色差信号であるＣｒデータとからなるＹＣデータに変換するＹＣ処理を行う。
【００５６】
また、動作モードダイヤル１１により選択された１つ以上の撮像モードに基づいて設定される画像処理条件により、画像データを画像処理する。
【００５７】
この画像データとは、レリーズボタン７が全押しされることによってＣＣＤ５８から画像信号が出力され、アナログ信号処理部６０、画像入力コントローラ６１経由でフレームメモリ６８に格納された画像データに基づいた画像である。
【００５８】
画像データの画素数の上限はＣＣＤ５８の画素数によって決定されるが、例えば、ユーザが設定可能な画質設定（ファイン、ノーマル等の設定）により、記録画素数を変更することができる。一方、スルー画像データの画素数は画像データデータより少なくてもよく、例えば、画像データデータの１／１６程度の画素数で取り込まれてもよい。
【００５９】
圧縮／伸長処理部６５は、画像処理部６７によって画質補正等の処理が行われた画像データに対して、例えばＪＰＥＧ等の圧縮形式で圧縮処理を行って、画像ファイルを生成する。この画像ファイルには、各種データ形式に基づいて付帯情報が付加される。またこの圧縮／伸長処理部６５は、再生モードにおいては外部記録メディア７０から圧縮された画像ファイルを読み出し、伸長処理を行う。伸長後の画像データは表示制御部７１に出力され、表示制御部７１は画像データに基づいた画像をモニタ１４に表示する。
【００６０】
メディア制御部６９は、図２におけるメディアスロット２２に相当し、外部記録メディア７０に記憶された画像ファイル等の読み出し、又は画像ファイルの書き込みを行う。ＣＰＵ７５は、各種ボタン、レバー、スイッチの操作や各機能ブロックからの信号に応じて、デジタルカメラ１の本体各部を制御する。またＣＰＵ７５は図示しない内部メモリに画像ファイルを記録する記録手段としても機能する。
【００６１】
識別子設定部８０は、ＭＰファイルを構成する主画像データ識別子及び副画像データ識別子に時刻または位置の情報等を設定する。
【００６２】
ＭＰファイル生成部８１は、主画像データ、副画像データ、主画像データ識別子及び副画像データ識別子に基づいて、複数の画像データを連結して構成される画像ファイルを生成する（図４参照）。
【００６３】
履歴追記部８２は、再生された画像データの識別子に再生された時刻又は位置の情報等を、再生履歴情報として追記する。
【００６４】
ＭＰファイル解析部８３は、主画像データ識別子または副画像データ識別子の時刻又は位置に関する情報（タグ）が記録されているか否かを解析する。
【００６５】
現在位置取得部７９は、デジタルカメラ１の位置情報をＧＰＳ等により取得する。
【００６６】
またデータバス７６は、画像入力コントローラ６１、各種処理部６２〜６９、７８〜８３及びＣＰＵ７５に接続されており、このデータバス７６を介して各種信号、データの送受信が行われる。
【００６７】
次に、以上の構成のデジタルカメラ１において行われる処理について説明する。
【００６８】
＜第一の実施形態＞
デジタルカメラ１は、位置情報取得部７９により現在位置の情報を取得し、十字ボタン１６、メニュー／ＯＫボタン１７により外部記録メディア７０に記録されたフォルダ内の複数の画像ファイルの中から１つの画像ファイルを選択し、画像ファイル解析部８３は、選択された画像ファイルの主画像データ識別子および副画像データ識別子それぞれに設定された位置の情報を解析し、モニタ１４に再生の際に、現在位置の情報に最も近い解析された位置の情報を有する識別子の後の画像データを再生するものである。
【００６９】
ＭＰファイル（Ｍｕｌｕｔｉ  Ｐａｇｅ  Ｆｏｒｍａｔファイル）とは、複数の画像データを連結して構成される１つの画像ファイルを言い、例えば、図４に示す如く撮像して得られた主画像データＩ１及び１つ以上の副画像データＩ２〜Ｉｎが格納され、主画像データＩ１に関する時刻の情報や現在位置の情報が設定された主識別子Ｈ１が主画像データＩ１の前に設けられ、かつ１つ以上の副画像データＩ２〜Ｉｎそれぞれの前に、各副画像データに関する時刻の情報や現在位置の情報が設定された副識別子Ｈ２〜Ｈｎが設けられた画像ファイルである。主画像データに関連する１つ以上の画像データおよび対応する副識別子を拡張データ領域に格納することが可能とする。
【００７０】
図５Ａ、５Ｂはデジタルカメラ１の一連の処理フローチャートである。まず図５Ａに示す如く、ＣＰＵ７５は、動作モードダイヤル１１の選択に従って、ＭＰファイル撮像モードを選択する（ステップＳＴ１）。そして、ＣＰＵ７５は、電源レバー８により選択された再生モードにおいて、画像表示モードが追加設定されているか否か判断する（ステップＳＴ２）。画像表示モードが設定されていない場合（ステップＳＴ２；ＮＯ）、他の撮像モード処理へと移行する（ステップＳＴ１５）。一方、画像表示モードが設定されている場合（ステップＳＴ２；ＹＥＳ）、ユーザから十字ボタン１６、メニュー／ＯＫボタン１７等の設定により外部記録メディア７０に記録されたフォルダ（ＭＰファイルが記録されている）を選択させる（ステップＳＴ３）。表示制御部７１は、選択されたファルダ内のＭＰファイルに格納されている複数の画像データのサムネイルを、かつ各識別子（主画像データ識別子及び副画像データ識別子）に記録されたファイル名等を、モニタ１４に表示する（ステップＳＴ４）。ユーザから十字ボタン１６、メニュー／ＯＫボタン１７等の設定により外部記録メディア７０に記録された所望の画像ファイルを選択される（ステップＳＴ５）。選択されない場合（ステップＳＴ５；ＮＯ）、選択されるまで待ち制御を繰り返す。
【００７１】
一方、選択された場合（ステップＳＴ５；ＹＥＳ）、ＭＰファイル解析部８３は、画像ファイルの主画像データおよび主画像データ識別子の情報を取得する（ステップＳＴ６）。次に計時部６６は、現在の時刻に関する情報を取得する（ステップＳＴ７）。ＭＰファイル解析部８３は、画像ファイルの副画像データ情報および副画像データ識別子の情報を取得する（ステップＳＴ８）。まず図５Ｂに示す如く、ＭＰファイル解析部８３は、取得した副画像データ識別子に時刻に関する情報（タグ）が記録されているか否かを解析する。１つ以上の副画像データ識別子に記録された時刻に関する情報から計時部６６によって取得された現在の時刻に関する情報に最も近い時刻に関する情報があるか否かを解析する（ステップＳＴ９）。
【００７２】
最も近い時刻とは、ある所定の範囲内において、最も近い時刻をいい、例えば、時刻に関する情報が曜日である場合において、計時部６６により取得した時刻に関する情報が火曜日である場合、火曜日の前後の日を所定の範囲内とする。よって、月曜日から水曜日を除く曜日は、最も近い時刻に該当しない。
【００７３】
また、時刻の範囲を指定することも可能である。その場合、最も近い時刻とは、上記範囲の中心の時刻を基準としてもよい。例えば、九時半から十時半と指定された際、十時を基準とする。また、十月八日と十月十二日を指定された際、十月十日を基準とする。
【００７４】
ＭＰファイル解析部８３は、最も近い時刻に関する情報が記録されていると解析した場合（ステップＳＴ９；ＹＥＳ）、上記最も近い時刻に関する情報を記録する副画像データ識別子に対応する副画像データを表示制御部７１にモニタ１４表示させるように制御する（ステップＳＴ１０）。モニタ１４が、上記副画像データを表示すると（ステップＳＴ１６；ＹＥＳ）、終了である。一方モニタ１４が、上記副画像データを表示しない場合は（ステップＳＴ１６；ＮＯ）、フォルダを選択させる（ステップＳＴ３）へとリターンする。
【００７５】
一方、ＭＰファイル解析部８３は、所定の範囲内において最も近い時刻に関する情報が記録されていないと解析した場合（ステップＳＴ９；ＮＯ）、ＭＰファイル解析部は、取得された副画像データ識別子から撮像時刻に関する情報を取得する（ステップＳＴ１１）。副画像データ識別子に撮像時刻に関する情報が、記録されている場合（ステップＳＴ１１；ＹＥＳ）、ＭＰファイル解析部８３は、上記撮像時刻に関する情報から、計時部６６により取得された現在の時刻に関する情報に最も近い情報を抽出し、抽出された最も近い情報を記録した副画像データ識別子に対応する副画像データをモニタ１４に表示させるように表示制御部７１に指令する。一方、副画像データ識別子に撮像時刻に関する情報が、記録されている場合（ステップＳＴ１１；ＮＯ）、主画像データをそのまま、モニタ１４に表示させるように表示制御部７１に指令する。
【００７６】
また、時刻に関する情報とは、年、月、日、時、分、秒、曜日、休日と平日等の区分のいずれかである。デジタルカメラ１はデーターベース（不図示）を有し、計時部６６により取得された時刻または識別子に記録された撮像時刻等から、所望の時刻の区分に変換が可能であり、変換された情報から時刻に関する情報の解析や比較が可能となる。後述する実施形態においても同様である。
【００７７】
なお、ＭＰファイル解析部８３は、副画像データ識別子の時刻に関する情報（タグ）が記録されているか否かを解析しているが、副画像データに加え、主画像データ識別子の時刻に関する情報（タグ）が記録されているか否かを同様に解析し、最も近い時刻に関する情報が主画像データ識別子に記録されていれば、主画像データをモニタ１４に表示するように設定してもよい。
【００７８】
例えば、本発明のＭＰファイルが図１３のような時刻表に関する画像データである場合において、現在の時刻に最も適した主画像データまたは副画像データの表示が可能となる。主画像データ識別子または副画像データ識別子に時刻の情報が設定されていない場合は、主画像データ識別子または副画像データ識別子に記録された撮像された時刻の情報において、現在の時刻に最も近い画像データがモニタ１４に表示される。
【００７９】
また、電車とバスを乗り継いで会社に行く場合、朝は最初に平日の駅方面における午前のバス時刻表に関する画像データを、次に電車の登り方面の時刻表の画像データを表示されるように条件設定することも可能である。
【００８０】
なお、十字ボタン１６、メニュー／ＯＫボタン１７等の設定により、モニタ１４に表示された画像データの変更は可能である。
【００８１】
上記説明した構成により、少ない回数で目的の画像データを表示することを可能とする。
【００８２】
＜第二の実施形態＞
ここでは、上述した第一の実施形態に係るデジタルカメラ１と異なる構成についてのみ記載することとし、上述の実施形態と同様の構成要素には同符号を付して詳細な説明を省略する。
【００８３】
撮像して得られた主画像データ及び1つ以上の副画像データが格納され、主画像データに関する主識別子が主画像データの前に設けられ、かつ１つ以上の副画像データそれぞれの前に、各副画像データに関する副識別子が設けられた画像ファイルを生成するデジタルカメラ１は、ＣＣＤ５８等により撮像された主画像データおよび１つ以上の副画像データを取得し、計時部６８により撮像された際の時刻を計時し、モニタ１８に時刻を表示し、
メニュー／ＯＫボタン１４、十字ボタン等により再生時に使用する時刻の入力を可能とし、識別子設定部８０は、入力がなされた場合はその入力された時刻の情報を、入力がされた場合に計時部６６により計時された時刻の情報を設定し、ＭＰファイル生成部８１は、識別子設定部８０により設定された識別子及び撮像された主画像データ及び副画像データに基づいて、画像ファイルを生成するものである。
【００８４】
図６Ａ、６Ｂはデジタルカメラ１の一連の処理フローチャートである。まず図９Ａに示す如く、ＣＰＵ７５は、電源レバー８の選択に従って、静止画撮像モードを選択する（ステップＳＴ２０）。そして、ＣＰＵ７５は、動作モードダイヤル１１によりＭＰファイル撮像モードが選択されない場合（ステップＳＴ２１；ＮＯ）、他のモード処理へ移行する（ステップＳＴ３６）。一方、ＣＰＵ７５は、動作モードダイヤル１１によりＭＰファイル撮像モードが選択された場合（ステップＳＴ２１；ＹＥＳ）、ＭＰファイル撮像モードのなかでも時刻表モードが選択されていない場合（ステップＳＴ２２；ＮＯ）、他のモード処理へ移行する（ステップＳＴ３７）。一方、ＣＰＵ７５は、動作モードダイヤル１１により時刻表モードが選択された場合（ステップＳＴ２２；ＹＥＳ）、レリーズボタン７を押されることにより画像の撮像が開始し、撮像された画像データは外部記録メディア７０に記録する（ステップＳＴ２３）。次に計時部６６は、撮像された際の時刻に関する情報を取得する（ステップＳＴ２４）。位置情報取得部７９は、撮像された際の時刻に関する情報を取得する（ステップＳＴ２５）。表示制御部７１は、撮像された画像データと表示指定のための時間設定画面（時刻に関する情報を設定する画面）を、モニタ１４に表示する（ステップＳＴ２６）。ユーザから十字ボタン１６、メニュー／ＯＫボタン１７等の設定により外部記録メディア７０に記録された複数の画像ファイルからＭＰファイルを作成するための画像データを選択させる（ステップＳＴ）。ＭＰファイル生成部７８は、選択された画像データに対して、ユーザから十字ボタン１６、メニュー／ＯＫボタン１７等の設定により、時刻の情報の入力を受け付ける（ステップＳＴ２７）。表示制御部７１は、撮像された画像データと表示指定のための範囲入力画面（位置に関する情報を設定する画面）を、モニタ１４に表示する（ステップＳＴ２８）。次に表示された画像データに対して、ユーザから十字ボタン１６、メニュー／ＯＫボタン１７等の設定により、ＭＰファイル生成部７８が、位置の情報の入力を受け付ける（ステップＳＴ２９）。ＭＰファイル生成部７８が、入力を受け付けた後に、入力された場合は、入力された情報でまた、入力されない場合は、撮像時の時刻または位置の情報で副画像データ及び副画像データ識別子として情報を設定する（ステップＳＴ３０）。例えば、図７に示すＭＰファイル構造の識別子（ヘッダ）に、図８に示すようなデータや情報を設定する。
【００８５】
図６Ｂに示す如く、撮像と入力が終了するまで（ステップＳＴ３１；ＮＯ）、撮像を繰り返す。一方、全ての設定が終了すると（ステップＳＴ３１；ＹＥＳ）、ユーザから十字ボタン１６、メニュー／ＯＫボタン１７等の設定により、副画像データの群から主画像データを選択する（ステップＳＴ３２）。ＭＰファイル生成部７８は、選択された主画像データ、及び主画像データに対応する識別子を主画像データ識別子として生成し、ＭＰファイルを生成する（ステップＳＴ３４）。時刻表モードが終了しない場合（ステップＳＴ３５；ＮＯ）、撮像を繰り返す。一方、時刻表モードが終了する場合（ステップＳＴ３５；ＹＥＳ）、終了する。
【００８６】
なお、主画像データの選択（ステップＳＴ３２）は、画像データの撮像（ステップ
ＳＴ２３）後、に行っても良い。
【００８７】
第二の実施形態のような構成により、連続して撮像し、必要な表示指定の情報を入力しながら、ＭＰファイルの作成を可能とする。また、表示指定の情報入力は、ボタン操作や予め設定可能とするモードを備えることにより、より入力の手間を省くことができる。
【００８８】
＜第三の実施形態＞
ここでは、上述した第一又は二の実施形態に係るデジタルカメラ１と異なる構成についてのみ記載することとし、上述の実施形態と同様の構成要素には同符号を付して詳細な説明を省略する。
【００８９】
デジタルカメラ１は、ＣＣＤ５８等により主画像データおよび１つ以上の副画像データを取得し、計時部６６により撮像された際の時刻を計時し、モニタ１４により上記時刻を表示し、十字ボタン１６、メニュー／ＯＫボタン１７等により上記時刻の修正入力を可能し、十字ボタン１６、メニュー／ＯＫボタン１７等により修正入力がなされた場合はその修正入力された時刻の情報を、ＭＰファイル生成部７８が、十字ボタン１６、メニュー／ＯＫボタン１７等により修正入力がされた場合に計時部６６により計時された時刻の情報を、設定し、設定された識別子及び取得された主画像データ及び副画像データに基づいて、ＭＰファイルを生成するものである。
【００９０】
次に、以上の構成のデジタルカメラ１において行われる処理について説明する。
【００９１】
図９Ａ、９Ｂはデジタルカメラ１の一連の処理フローチャートである。まず図９Ａに示す如く、ＣＰＵ７５は、電源レバー８の選択に従って、再生モードを選択する（ステップＳＴ４０）。そして、ＣＰＵ７５は、動作モードダイヤル１１によりＭＰファイル作成モードが選択されない場合（ステップＳＴ４１；ＮＯ）、他のモード処理へ移行する（ステップＳＴ３６）。一方、ＣＰＵ７５は、動作モードダイヤル１１により撮像モードが選択された場合（ステップＳＴ４１；ＹＥＳ）、ユーザから十字ボタン１６、メニュー／ＯＫボタン１７等の設定により外部記録メディア７０に記録されたフォルダを選択させる（ステップＳＴ４２）。表示制御部７１は、選択されたファルダ内の画像ファイルに格納されている画像データのサムネイルを、かつ識別子に記録されたファイル名を、モニタ１４に表示する（ステップＳＴ４３）。ユーザから十字ボタン１６、メニュー／ＯＫボタン１７等の設定により外部記録メディア７０に記録された複数の画像ファイルからＭＰファイルを作成するための画像データ群を選択させる（ステップＳＴ４４）。選択されない場合（ステップＳＴ４５；ＮＯ）、選択されるまで待ち制御を繰り返す。
【００９２】
一方、選択された場合（ステップＳＴ４５；ＹＥＳ）、ＭＰファイル解析部８３は、選択された画像ファイルの主画像データ情報および主画像データ識別子の情報を取得し、（ステップＳＴ６）。選択された画像データを表示する（ステップＳＴ４６）。表示された画像データに対して、ユーザから十字ボタン１６、メニュー／ＯＫボタン１７等の設定により、ＭＰファイル生成部７８が、時刻の情報の入力を受け付ける（ステップＳＴ４７）。次に表示された画像データに対して、ユーザから十字ボタン１６、メニュー／ＯＫボタン１７等の設定により、ＭＰファイル生成部７８が、位置の情報の入力を受け付ける（ステップＳＴ４８）。ＭＰファイル生成部７８が、入力を受け付けた後に、入力された場合は、入力された情報でまた、入力されない場合は、撮像時の時刻または位置の情報で副画像データ及び副画像データ識別子として情報を設定する（ステップＳＴ４９）。図９Ｂに示す如く、全ての画像データに対して、設定が終了するまで（ステップＳＴ５０；ＮＯ）、撮像を繰り返す。一方、全ての設定が終了すると（ステップＳＴ５０；ＮＯ）、ユーザから十字ボタン１６、メニュー／ＯＫボタン１７等の設定により、副画像データの群から主画像データを選択する（ステップＳＴ５１）。ＭＰファイル生成部７８は、選択された主画像データ、及び主画像データに対応する識別子を主画像データ識別子として生成し、ＭＰファイルを生成する（ステップＳＴ５２）。ＭＰファイルの生成が終了しない場合（ステップＳＴ５３；ＮＯ）、フォルダの選択（ステップＳＴ４２）へリターンする。一方、ＭＰファイルの生成が終了する場合（ステップＳＴ５３；ＹＥＳ）、終了する。
【００９３】
なお、主画像データの選択（ステップＳＴ５１）は、画像データの選択（ステップ
ＳＴ４４）後、に行っても良い。
【００９４】
第三の実施形態のような構成により、複数の画像データをＭＰファイルとして一つにまとめることが可能となる。また、時刻／位置の情報の入力することで、簡単に表示するための表示条件を設定することも可能となる。
【００９５】
また、電車とバスを乗り継いで会社に行く場合、朝は最初に平日の駅方面における午前のバス時刻表に関する画像データを、次に電車の上り方面の時刻表の画像データをＭＰファイルとして作成し、少ない操作回数で目的の画像データを表示可能とする。
【００９６】
＜第四の実施形態＞
ここでは、上述した第一から第三の実施形態に係るデジタルカメラ１と異なる構成についてのみ記載することとし、上述の実施形態と同様の構成要素には同符号を付して詳細な説明を省略する。
【００９７】
デジタルカメラ１は、位置情報取得部７９により現在位置の情報を取得し、十字ボタン１６、メニュー／ＯＫボタン１７により外部記録メディア７０に記録されたフォルダ内の複数の画像ファイルの中から１つの画像ファイルを選択し、画像ファイル解析部８３は、選択された画像ファイルの主画像データ識別子および副画像データ識別子それぞれに設定された位置の情報を解析し、モニタ１４に再生の際に、現在位置の情報に最も近い解析された位置の情報を有する識別子の後の画像データを再生するものである。
【００９８】
次に、以上の構成のデジタルカメラ１において行われる処理について説明する。
【００９９】
図１０Ａ、１０Ｂはデジタルカメラ１の一連の処理フローチャートである。まず図１０Ａに示す如く、ＣＰＵ７５は、電源レバー８の選択に従って、再生モードを選択する（ステップＳＴ６０）。そして、ＣＰＵ７５は、動作モードダイヤル１１により選択された画像表示モードが追加設定されているか否か判断する（ステップＳＴ６１）。画像表示モードが設定されていない場合（ステップＳＴ６１；ＮＯ）、他の撮像モード処理へと移行する（ステップＳＴ７８）。一方、画像表示モードが設定されている場合（ステップＳＴ６１；ＹＥＳ）、ユーザから十字ボタン１６、メニュー／ＯＫボタン１７等の設定により外部記録メディア７０にＭＰファイルが記録されたフォルダを選択させる（ステップＳＴ６２）。表示制御部７１は、選択されたファルダ内のＭＰファイルに格納されている画像データ群のサムネイルを、かつ識別子に記録されたファイル名を、モニタ１４に表示する（ステップＳＴ６３）。ユーザから十字ボタン１６、メニュー／ＯＫボタン１７等の設定により外部記録メディア７０に記録された画像ファイルを選択させる（ステップＳＴ６４）。選択されない場合（ステップＳＴ６４；ＮＯ）、選択されるまで待ち制御を繰り返す。
【０１００】
一方、選択された場合（ステップＳＴ６４；ＹＥＳ）、ＭＰファイル解析部８３は、画像ファイルの主画像データ情報および主画像データ識別子の情報を取得する（ステップＳＴ６５）。次に、位置情報取得部７９は、現在位置の情報を取得する（ステップＳＴ６６）。計時部６６は、現在の時刻に関する情報を取得する（ステップＳＴ６７）。ＭＰファイル解析部８３は、画像ファイルの副画像データ情報および副画像データ識別子の情報を取得する（ステップＳＴ６８）。まず図１０Ｂに示す如く、ＭＰファイル解析部８３は、取得した副画像データ識別子に位置の情報（タグ）が記録されているか否かを解析する。副画像データ識別子に表示指定として記録された位置の情報がない場合、（ステップＳＴ６９；ＮＯ）、ＭＰファイル解析部８３は、取得した副画像データ識別子に時刻の情報（タグ）が記録されているか否かを解析する（ステップＳＴ７１）。一方、副画像データ識別子に表示指定として、位置の情報がある場合（ステップＳＴ６９；ＹＥＳ）、次に現在位置取得部７９により取得した現在の位置に最も近い、上記記録された位置の情報を記録する副識別子に対応する副画像データを抽出し（ステップＳＴ７０）、ＭＰファイル解析部８３は、抽出された副画像データに対応する副画像データ識別子に時刻の情報（タグ）が記録されているか否かを解析する（ステップＳＴ７１）。
【０１０１】
最も近い位置とは、ある所定の範囲内において、最も近い位置をいい、例えば、位置に関する情報が都道府県である場合において、位置情報所得部７９により取得した位置に関する情報が東京都である場合、東京都の隣接する埼玉県、神奈川県等を所定の範囲内とする。よって、東京都に隣接しない都道府県を除くことから、それらは最も近い位置に該当しない。
【０１０２】
ＭＰファイル解析部８３は、抽出された副画像データに対応する副画像データ識別子に時刻の情報（タグ）が記録されているか否かを解析した場合（ステップＳＴ７１；ＹＥＳ）、ＭＰファイル解析部８３は、最も近い時刻に関する情報が記録されていると解析した場合、上記最も近い時刻に関する情報を記録する副識別子に対応する副画像データを表示制御部７１にモニタ１４表示させるように制御する（ステップＳＴ７２）。モニタ１４が、上記副画像データを表示すると（ステップＳＴ７７；ＹＥＳ）、終了である。一方、モニタ１４が、上記副画像データを表示しない場合は（ステップＳＴ７７；ＮＯ）、フォルダを選択させる（ステップＳＴ６２）へとリターンする。一方、副画像データに対応する副画像データ識別子に表示指定として、位置の情報が無い場合（ステップＳＴ６９；ＮＯ）、ＭＰファイル解析部は、副画像データに対応する副画像データ識別子から撮像時刻に関する情報がある場合（ステップＳＴ７１；ＮＯ）、撮像時刻に関する情報を取得する（ステップＳＴ７３）。上記副画像データ識別子に撮像時刻に関する情報が、記録されている場合（ステップＳＴ７４；ＹＥＳ）、ＭＰファイル解析部８３は、上記撮像時刻に関する情報から、計時部６６により取得された現在の時刻に関する情報に最も近い情報を記録した対応する副画像データをモニタ１４に表示させるように表示制御部７１に指令する（ステップＳＴ７５）。一方、副画像データ識別子に撮像時刻に関する情報が、記録されていない場合（ステップＳＴ７４；ＮＯ）、主画像データをそのまま、モニタ１４に表示させるように表示制御部７１に指令する（ステップＳＴ７６）。
【０１０３】
なお、ＭＰファイル解析部８３は、副画像データ識別子の時刻に関する情報（タグ）が記録されているか否かを解析しているが、副画像データに加え、主画像データ識別子の時刻に関する情報（タグ）が記録されているか否かを同様に解析し、最も近い時刻に関する情報が主画像データ識別子に記録されていれば、主画像データをモニタ１４に表示するように設定してもよい。
【０１０４】
また、副画像データが抽出されない場合（ステップＳＴ６９）、フォルダ選択により選択された画像ファイルに格納された副画像データの全てを対象として、ステップＳＴ７１以降の処理を行う。
【０１０５】
また、位置の情報とは、国、都道府県、緯度経度、郡、市、町のいずれかの位置区分に関する情報である。デジタルカメラ１はデーターベース（不図示）を有し、位置情報取得部７９により取得された位置または識別子に記録された撮像された位置等から、所望の位置区分に変換が可能であり、変換された情報から位置区分に関する情報の解析や比較が可能となる。また、位置の範囲を指定することも可能である。その場合、最も近い位置とは、上記範囲の中心の時刻を基準としてもよい。例えば、特定の緯度、経度の位置から半径３０ｋｍと指定された際、上記特定の緯度、経度の位置を基準とする。また、朝霞台駅から半径２０ｋｍを指定された際、朝霞台駅を基準とする。
【０１０６】
後述する実施形態においても同様である。
【０１０７】
＜第五の実施形態＞
ここでは、上述した第一から第四の実施形態に係るデジタルカメラ１と異なる構成についてのみ記載することとし、上述の実施形態と同様の構成要素には同符号を付して詳細な説明を省略する。
【０１０８】
デジタルカメラ１は、計時部６６により現在時刻の情報または、位置情報取得部７９により現在位置の情報を取得し、十字ボタン１６、メニュー／ＯＫボタン１７により外部記録メディア７０に記録されたフォルダ内の複数の画像ファイルの中から１つの画像ファイルを選択し、画像ファイル解析部８３は、選択された画像ファイルの主画像データ識別子および副画像データ識別子それぞれに設定された位置／時刻の情報を解析し、解析された結果、主画像データ識別子および副画像データ識別子それぞれに設定された時刻の情報または位置の情報を取得することができなかった際、履歴記憶部８２が、再生履歴情報から最も近い時刻の情報または現在位置の情報を有する識別子の後の画像データを再生するものである。
【０１０９】
次に、以上の構成のデジタルカメラ１において行われる処理について説明する。
【０１１０】
図１１Ａ、１１Ｂはデジタルカメラ１の一連の処理フローチャートである。まず図１１Ａに示す如く、ＣＰＵ７５は、電源レバー８の選択に従って、再生モードを選択する（ステップＳＴ８０）。そして、ＣＰＵ７５は、動作モードダイヤル１１により画像表示モードが追加設定されているか否か判断する（ステップＳＴ８１）。画像表示モードが設定されていない場合（ステップＳＴ８１；ＮＯ）、他の撮像モード処理へと移行する（ステップＳＴ１０４）。一方、画像表示モードが設定されている場合（ステップＳＴ８１；ＹＥＳ）、ユーザから十字ボタン１６、メニュー／ＯＫボタン１７等の設定により外部記録メディア７０に記録されたフォルダを選択させる（ステップＳＴ８２）。表示制御部７１は、選択されたファルダ内の画像ファイルに格納されている画像データのサムネイルを、かつ識別子に記録されたファイル名を、モニタ１４に表示する（ステップＳＴ８３）。ユーザから十字ボタン１６、メニュー／ＯＫボタン１７等の設定により外部記録メディア７０に記録された画像ファイルを選択させる（ステップＳＴ８４）。選択されない場合（ステップＳＴ８４；ＮＯ）、選択されるまで待ち制御を繰り返す。
【０１１１】
一方、選択された場合（ステップＳＴ８４；ＹＥＳ）、ＭＰファイル解析部８３は、画像ファイルの主画像データ情報および主画像データ識別子の情報を取得する（ステップＳＴ８５）。次に、位置情報取得部７９は、現在位置の情報を取得する（ステップＳＴ８６）。計時部６６は、現在の時刻に関する情報を取得する（ステップＳＴ８７）。ＭＰファイル解析部８３は、画像ファイルの副画像データ情報および副画像データ識別子の情報を取得する（ステップＳＴ８８）。まず図１１Ｂに示す如く、ＭＰファイル解析部８３は、取得した副画像データ識別子に現在位置の情報（タグ）が記録されているか否かを解析する。副画像データ識別子に表示指定として、位置に関する情報が無い場合（ステップＳＴ８９；ＮＯ）、ＭＰファイル解析部８３は、取得した副画像データ識別子に時刻の情報（タグ）が記録されているか否かを解析する（ステップＳＴ９１）。一方、副画像データ識別子に表示指定として、位置に関する情報がある場合（ステップＳＴ８９；ＹＥＳ）、ＭＰファイル会席部８３が、位置取得部８４により取得された現在位置の情報に最も近い位置の情報が記録されていると解析した副識別子に対応する副画像データを抽出し（ステップＳＴ９０）、ＭＰファイル解析部８３は、抽出された副画像データに対応する副画像データ識別子に時刻の情報（タグ）が記録されているか否かを解析する（ステップＳＴ９１）。ＭＰファイル解析部８３は、抽出された副画像データに対応する副画像データ識別子に時刻の情報（タグ）が記録されているか否かを解析した場合（ステップＳＴ９１；ＹＥＳ）、ＭＰファイル解析部８３は、最も近い時刻に関する情報が記録されていると解析した場合、上記最も近い時刻に関する情報を記録する副識別子に対応する副画像データを表示制御部７１にモニタ１４表示させるように制御する（ステップＳＴ９２）。モニタ１４が、上記副画像データを表示すると（ステップＳＴ９３；ＹＥＳ）、終了である。一方、モニタ１４が、上記副画像データを表示しない場合は（ステップＳＴ９３；ＮＯ）、フォルダを選択させる（ステップＳＴ８２）へとリターンする。一方、抽出された副画像データに対応する副画像データ識別子に表示指定として、位置に関する情報から位置取得部８４により取得された現在位置の情報に所定の近い位置の情報が記録されていないと解析した場合（ステップＳＴ９１；ＮＯ）、ＭＰファイル解析部８３は、抽出された副画像データに対応する副画像データ識別子に記録された履歴追記部８２により追記された履歴情報を取得する（ステップＳＴ９４）。例えば、図７に示すＭＰファイル構造の識別子（ヘッダ）に、図１２に示すような履歴情報が、データや情報として記録されている。
【０１１２】
履歴情報を取得できない場合（ステップＳＴ９４；ＮＯ）、ＭＰファイル解析部８３は、抽出された副画像データに対応する副画像データ識別子から撮像時刻に関する情報を取得する（ステップＳＴ１００）。上記副画像データ識別子に撮像時刻に関する情報が、記録されている場合（ステップＳＴ１０１；ＹＥＳ）、ＭＰファイル解析部８３は、上記撮像時刻に関する情報から、計時部６６により取得された現在の時刻に関する情報に所定の近い情報を記録した対応する副画像データをモニタ１４に表示させるように表示制御部７１に指令する（ステップＳＴ１０２）。一方、副画像データ識別子に撮像時刻に関する情報が、記録されていない場合（ステップＳＴ１０１；ＮＯ）、主画像データをそのまま、モニタ１４に表示させるように表示制御部７１に指令する（ステップＳＴ１０３）。
【０１１３】
一方、履歴情報を取得できた場合（ステップＳＴ９４；ＹＥＳ）、抽出された副画像データ識別子の履歴情報記録された位置に関する情報から位置取得部８４により取得された現在位置の情報に所定の近い位置の情報が記録された副画像データを抽出する（ステップＳＴ９５）。次に抽出された副画像データ識別子の履歴情報記録された時刻に関する情報から位置取得部８４により取得された現在位置の情報に所定の近い時刻の情報が記録された副画像データを抽出する（ステップＳＴ９６）。抽出された副画像データにおいて、最も位置と時刻が近い画像をモニタ１４に表示する。ユーザから十字ボタン１６、メニュー／ＯＫボタン１７等の設定により次に近い画像を表示するか否かを決定する（ステップＳＴ９８）。次の画像を表示する場合（ステップＳＴ９８；ＹＥＳ）は、位置と時刻の情報を考慮して次の画像をモニタ１４に表示する（ステップＳＴ９９）。一方、次の画像を表示しない場合（ステップＳＴ９８；ＮＯ）は、ステップＳＴ９３へ飛ぶ。
【０１１４】
なお、ＭＰファイル解析部８３は、副画像データ識別子の時刻に関する情報（タグ）が記録されているか否かを解析しているが、副画像データに加え、主画像データ識別子の時刻に関する情報（タグ）が記録されているか否かを同様に解析し、最も近い時刻に関する情報が主画像データ識別子に記録されていれば、主画像データをモニタ１４に表示するように設定してもよい。
【０１１５】
また、副画像データが抽出されない場合（ステップＳＴ６９）、フォルダ選択により選択された画像ファイルに格納された副画像データの全てを対象として、ステップＳＴ７１以降の処理を行う。
【０１１６】
また、本発明における撮像装置のモニタ１４により、画像データを再生するように説明したが、撮像装置とテレビ等の表示装置を有線または無線により接続することで、表示装置により画像データを再生してもよい。
【０１１７】
尚、上述の実施の形態では、本発明における撮像装置としてデジタルカメラを例に説明したが、本発明の適用範囲はこれに限定されず、例えば、カメラ付き携帯電話、電子撮像機能を備えた他の電子機器に対しても適用可能である。
【０１１８】
更には、医療用途のＣＴ画像、ＭＲＩ画像をＭＰファイルとして用いることも可能である。
【図面の簡単な説明】
【０１１９】
【図１】デジタルカメラの背面図
【図２】デジタルカメラの前面図
【図３】デジタルカメラの機能ブロック図
【図４】ＭＰファイルの画像及び識別子の構成例
【図５Ａ】第一の実施形態における処理のフローチャートＡ
【図５Ｂ】第一の実施形態における処理のフローチャートＢ
【図６Ａ】第二の実施形態における処理のフローチャートＡ
【図６Ｂ】第二の実施形態における処理のフローチャートＢ
【図７】ＭＰファイルの画像データ及び識別子の構成例
【図８】ＭＰファイルにおける時刻または位置に関する情報を記録した識別子、画像データの構成例
【図９Ａ】第三の実施形態における処理のフローチャートＡ
【図９Ｂ】第三の実施形態における処理のフローチャートＢ
【図１０Ａ】第四の実施形態における処理のフローチャートＡ
【図１０Ｂ】第四の実施形態における処理のフローチャートＢ
【図１１Ａ】第五の実施形態における処理のフローチャートＡ
【図１１Ｂ】第五の実施形態における処理のフローチャートＢ
【図１２】ＭＰファイルにおける時刻及び位置並びに履歴に関する情報を記録した識別子、画像データの構成例
【図１３】時刻表を表す画像データ例
【符号の説明】
【０１２０】
１    デジタルカメラ
１４  モニタ
６６  計時部
６７  画像処理部
７０  外部記録メディア
７８  ＭＰファイル作成部
７９  位置情報取得部
８２  履歴追記部
８３  ＭＰファイル解析部
【図１】
0004864848.tif 000002
【図２】
0004864848.tif 000003
【図３】
0004864848.tif 000004
【図４】
0004864848.tif 000005
【図５Ａ】
0004864848.tif 000006
【図５Ｂ】
0004864848.tif 000007
【図６Ａ】
0004864848.tif 000008
【図６Ｂ】
0004864848.tif 000009
【図７】
0004864848.tif 000010
【図８】
0004864848.tif 000011
【図９Ａ】
0004864848.tif 000012
【図９Ｂ】
0004864848.tif 000013
【図１０Ａ】
0004864848.tif 000014
【図１０Ｂ】
0004864848.tif 000015
【図１１Ａ】
0004864848.tif 000016
【図１１Ｂ】
0004864848.tif 000017
【図１２】
0004864848.tif 000018
【図１３】
0004864848.tif 000019